(57)【要約】  トイレ設備は、ボウル、ボウルに流体連通する一次配水管、ボウルに水を供給して設備を洗い流して給水プレナム、及びこのプレナムに配置した二次配水管入口を具える。二次配水管入口は、プレナムから二次配水管入口へ水が流れるようにする二次配水管孔を具える。二次配水管入口は、水が設備から出るように配水管に流体連通しており、二次配水管入口を通る流水は、一次配水管内の詰まりを迂回させることができる。【選択図】図７
2015536392.tif 000002
【特許請求の範囲】
【請求項１】
トイレ設備において、
ボウルと；
ボウルに流体連通している一次配水管と；
ボウルに水を供給して前記設備を洗い流す給水プレナムと；
前記プレナムに設けた二次配水管入口であって、当該入口が前記プレナムから前記入口へ水が流れるようにする二次配水管孔を具える二次配水管入口と；を具え、
前記二次配水管入口が、水を前記設備から出すドレインに流体連通しており、前記入口を通って流れる水が前記一次配水管の詰まりを迂回させることを特徴とするトイレ設備。
【請求項２】
前記入口が多数の二次配水管孔を具えることを特徴とする請求項１に記載の設備。
【請求項３】
前記二次配水管孔の第１部分が、水が前記給水プレナム内から流れる方向に面しており、前記設備の通常の動作中に前記二次配水管入口内に水流を提供し、詰まりがある場合に一次配水管を迂回できるようにすると共に；
前記二次配水管孔の第２部分が、給水プレナム内の水の流れから遮断され、詰まりがある場合に前記一次配水管を迂回できるようにする；ことを特徴とする請求項２に記載の設備。
【請求項４】
前記ボウルが、前記ボウルを前記二次配水管入口に流体連通させる追加の二次配水管孔を具えることを特徴とする請求項１に記載の設備。
【請求項５】
前記二次配水管孔が、前記プレナムから前記入口へと導水して前記入口を通して水を流すように構成されていることを特徴とする請求項１に記載の設備。
【請求項６】
前記入口が二次配水管出口に流体連通していることを特徴とする請求項１に記載の設備。
【請求項７】
前記二次配水管入口が、水トラップを具える二次配水管チャネルによって前記配水管に流体連通していることを特徴とする請求項１に記載の設備。
【請求項８】
請求項１に記載の設備が、
さらにジェットチャネルを具え；
前記二次配水管入口が、当該ジェットチャネルを通って逆流する水を排水するように構成されていること特徴とする設備。
【請求項９】
前記二次配水管入口が、前記ボウルの縁に設けた孔を通って逆流する水を排水するように構成されていることを請求項１に記載の設備。
【請求項１０】
前記二次配水管孔が、水が給水プレナム内からの流れる方向に面しており、前記設備の通常動作の間に、前記二次配水管入口内に水流を提供して詰まりがある場合に一次配水管を迂回できるようにしたことを特徴とする請求項１に記載の設備。
【請求項１１】
前記二次配水管孔が、前記給水プレナム内の水の流れから遮断されており、詰まりがある場合に一次配水管を迂回できるようにしたことを特徴とする請求項１に記載の設備。
【請求項１２】
トイレ設備であって、
当該トイレ設備の一次配水管が詰まった場合に水が当該設備のボウルからオーバーフローするのを防ぐように構成されているトイレ設備において：
ボウルと；
当該ボウルに流体連通している一次配水管と；
前記ボウルに水を供給して当該設備を洗い流す給水プレナムと；
前記プレナムに配置した二次配水管入口であって、前記プレナムから前記入口へ水が流れるようにする二次配水管孔と；を具え、
前記二次配水管入口が、二次配水管チャネルによって二次配水管出口に流体連通して、一次配水管が詰まった場合に水を設備から出し、
前記二次配水管チャネルが水トラップを具えており；
前記二次配水管孔が前記ボウル内に通常の水位よりも高い位置に配置されていることを特徴とするトイレ設備。
【請求項１３】
トイレ設備の製造方法において：
当該設備の給水プレナム内に二次配水管入口を形成するステップと；
前記二次配水管入口の壁に二次配水管孔を形成して、前記プレナムから前記二次配水管入口へ水が流れるようにするステップと；
前記二次配水管入口を二次配水管出口に流体連通させ、前記設備の外側の配管に流体連通させるステップと；を具えることを特徴とするトイレ設備の製造方法。
【請求項１４】
前記二次配水管孔を形成するステップが、当該孔を削孔するステップを具えることを特徴とする請求項１３に記載のトイレ設備の製造方法。
【請求項１５】
前記二次配水管孔を形成するステップが、当該孔を前記二次配水管入口の壁の形成と一体的に形成するステップを具えることを特徴とする請求項１３に記載のトイレ設備の製造方法。
【発明の詳細な説明】
【技術分野】
【０００１】
本開示は、２００５年９月２日出願の米国特許出願第１１／２１７，２１７号の継続出願であり、その優先権を主張する２０１０年６月１４日出願の米国特許出願第１２／８１５，１５１号の一部継続出願であり、その優先権を主張する。両出願とも、参照することにより本開示に完全に組み込まれている。
【０００２】
本開示は、身体の排泄物を排水路あるいは下水道システムへ流すための改良されたトイレ設備である。とりわけ、本開示には、この設備のオーバーフローを防止する二次排水システムを具えるトイレが含まれている。
【背景技術】
【０００３】
本段落での記載は、ただ単に本開示に関連する背景情報を提供するにすぎない。それに伴い、この記載は、先行技術の承認を構成することを意図するものではない。
【０００４】
便器及び小便便器などの従来のトイレ設備は詰まる又は塞がると、この設備に水を流すとき、流れる水及び排泄物がオーバーフローしてしまう。水及び排泄物がオーバーフローすることは望ましくないことは明らかであり、それゆえ、オーバーフローが起こるのを防ぐために改良されたトイレ設備が必要とされる。
【０００５】
詰まった便器のオーバーフローを防止することは、既に試みられている。これら従来技術のオーバーフロー防止装置はしばしば複雑で、家又は建物内の既存の配水管を変更する必要がある。
【０００６】
便器オーバーフロー装置及びシステムに関する従来技術のいくつかの文献として、１９６８年１１月１９日に発行されたＮｏｒｂｅｒｔ  Ｊ．Ｐａｌｍｅｒによる米国特許第３，４１１，１６２号「便器構造」；１９８０年５月２７日に発行されたＩａｎ  Ｔ．Ｐａｋによる米国特許第４，２０４，２８５号「オーバーフロー防止装置」；２００３年５月１日に出願されたＣｈｒｉｓ  Ｇｉｅｓｋｅｎらによる米国特許公報第２００５−００００００５号「便器オーバーフロー防止システム」；及び２００３年４月２２日に出願されたＳａｍｓａｍ  Ｕ．Ｔｕｒｋｍａｎによる米国特許公報第２００４−０２３１０３９号「悪臭・オーバーフローのない自動便器」などがある。
【０００７】
通常、このような従来技術は、建物の配管を変更することなく既存の便器又は小便便器モデルの代わりに簡単に取り付けられるような簡単で費用効率のよいトイレ設備のオーバーフローを防止する手段を提供できていない。
【発明の概要】
【０００８】
トイレ設備は、ボウル、ボウルに流体連通する一次配水管、ボウルに水を供給して設備を洗い流して給水プレナム、及びこのプレナムに配置した二次配水管入口を具える。二次配水管入口は、プレナムから二次配水管入口へ水が流れるようにする二次配水管孔を具える。二次配水管入口は、水が設備から出るように配水管に流体連通しており、二次配水管入口を通る流水は、一次配水管内の詰まりを迂回させることができる。
【図面の簡単な説明】
【０００９】
添付図面を参照して、一またはそれ以上の実施形態を例示として以下に説明する。
【００１０】
【図１】図１は、本開示によるオーバーフロー防止設備の部分的断面側面図である；
【図２】図２は、本開示による図１に示したオーバーフロー防止設備の部分的断面正面図である；
【図３】図３は、本開示による図１及び図２に示したオーバーフロー防止設備の底面図である；
【図４】図４は、本開示による図３に示した４−４の断面図である；
【図５】図５は、本開示による代替の実施形態によるオーバーフロー防止設備の部分的断面側面図である；
【図６】図６は、本開示による代替の実施形態によるオーバーフロー防止設備の二次配水管の図である；
【図７】図７は、本開示による追加の実施形態の断面であり、給水プレナムへの内孔が設備に二次配水管を提供している。
【発明を実施するための形態】
【００１１】
図面を参照すると、ここに示されているものは、典型的な実施形態を例示するだけの目的であり、発明をこの実施形態に限定するものではない。身体の排泄物を下水道システムへ流す改良されたトイレ設備１０、１１０は、以下で「トイレ設備」又は「設備」と言う。
【００１２】
各設備１０は従来の一次配水管２０及び二次オーバーフロー防止配水管３０を具えている。同様に、各設備１１０は、従来の一次配水管１２０及び二次オーバーフロー防止配水管３０を具えている。
【００１３】
設備１０、１１０は、新しい二次オーバーフロー防止配水管３０以外、従来の便器又は小便便器とそれぞれ大きさ、形、構成及び動作について実質的に同じである。
【００１４】
特に、各設備１０、１１０は、従来の便器及び小便便器と共通してみられる以下の標準の機能を具えている：排泄物を受けるほぼ環状の窪み又はボウル１２を具えている構造本体部又は基部１１と、ボウル１２に流体連通しているそれぞれ一次排泄物配水管システム２０、１２０。各配水管２０、１２０は、液体トラップ２２を形成する一連の屈曲を有するように構成されている。このトラップ２２は、設備１０、１１０が用いられて又は水が流されるたびに、その後、ボウル１２内に一定量の水が残るように機能する。水位線１７、すなわち各流水後にボウル１２に残る水の高さは、ボウル１２と一次配水管パイプ２０、１２０の相対体積並びにボウル１２に対してトラップ２２が上方に延在する高さによって決定されると理解されるべきである。
【００１５】
図１乃至４に示した本開示の実施形態では、トイレ設備１０の本体部１１は便器であり、図５では、トイレ設備１１０の本体部１１は小便便器であることは容易に理解される。
【００１６】
従来設計の流水タンク又は水源（図示せず）は、設備１０、１１０の内容物を流すのに必要な水を提供するために設備１０、１１０と流体連通されている。タンクは、設備１０、１１０に対して実質的にはどんな場所にも設置できる。たとえば、タンクは設備１０、１１０に直接に又は離れた場所に物理的に取り付けることもできる。同様に、流水源であるタンクシステムの代わりに加圧送水管及び逆止弁システムを使用することもできる。
【００１７】
さらに、各設備１０、１１０は、ボウル１２の上側縁部を規定する縁部１３を具えている。縁部１３は複数の流水出口１４を具えている。これらの流水出口１４は、上述したタンクなどの流水源に流体連通されている。出口１４は、設備１０、１１０に水を流すたびに、ボウル１２へ水を流し落とすように方向付けられている。縁部１３及び出口１４は従来のものなので、これ以上詳細は述べていない。
【００１８】
設備の本体部１１を固定するための孔１８は、トイレの取り付け面（すなわち床又は壁）に近接する本体部１１の一部を通して形成されている。これらの孔１８は、トイレの面に本体部１１を固定して保持する従来の金具又は留め具を受けることができる。
【００１９】
便器として構成された本体部１１を具える設備１０は、通常、縁部１３上に便座（図示せず）が取り付けられていると理解されたい。
【００２０】
設備１０に関して、図３乃至４に最良に示しているように、配水管２０は、設備１０の底縁部１５に近接配置されている一次排出口２４で終端している。一次排出口２４は、通常、トイレの床７の下に設けられた標準の汚チャネル又は配管５の開口内へスライドする大きさの円筒カラー２５を具える。配管５は、普通、床に対して垂直であり床７の高さで終端しているか、わずかに上に突き出しているかどちらかの従来のパイプの長さであると理解される。ワックスリングなどの従来のシーリング材を併用して、一次排出口２４と配管５は、配水管２０が設備１０の下に排泄物を流す一次の手段として作用できるように液体的に接続されている。
【００２１】
図１乃至４に示しているように、トイレ設備の好適な実施形態は便器として構成されている。設備１０は、ボウル１２の後壁に形成されている複数の入口孔３２を通してボウル１２に液体的に接続する二次配水管３０を具えている。これらの孔３２は、ボウル１２に、設備１０の標準の水位線１７より上の場所に形成されている。各入口３２は、縁部１３に具えた流水出口１４より下に設置されている。
【００２２】
本開示の好適な実施形態では、各々直径が約３／８インチの入口孔３２が３乃至５個ある。一の実施形態では、孔３２は、水位線１７に概略平行に整列して配置され、縁部１３より約１乃至３インチ下に設置されている。孔３２のこの場所は、詰まりがおこらない限り（すなわち、廃水がボウル１２の上端部の方へ上がらない限り）廃水が孔３２へ入らないようにする一方、各流水の間、付随して流水出口１４から放出された水を少量受けとり、配水管３０を比較的きれいに保って配水管３０中の水がよどんでしまうのを防いでいる。
【００２３】
入口孔３２相互の位置、量、大きさ、形状及び方向は変えることができ、孔３２が二次配水管３０用の入口として機能するためには、出口１４より下に且つ水位線１７より上に配置されることのみが必要とされる。
【００２４】
本開示の好適な実施形態では、二次配水管３０はさらに、オーバーフロー貯留部３４を具えている。貯留部３４は、設備１０、１１０の本体部１１内に設けられた囲まれている通常四角形の部材である。貯留部３４は、各入口孔３２に流体連通している正面側部３３を有している。貯留部３４の底又は床３６は、正面側部３３及び入口３２から離れるように下側に角度を成して、貯留部３４の最下部に設置された出口孔３５で終端している。図示するように、貯留部３４は、入口３２からすべて液体を受け、この液体を貯留部の底部に形成した出口孔３５へ向けて集める形状である。
【００２５】
配水管３０は、さらに、オーバーフロー配水管３８を具えている。本開示の好適な実施形態では、配水管３８は、内径約２分の１インチであり、出口孔３５に液体的に接続している。
【００２６】
配水管３８は、本体部１１の下方に二次排出口４０まで延在している。図３及び４に最良に示すように、二次排出口４０は、カラー２５に形成された孔を貫通して、カラー２５を約２分の１インチ乃至１インチ越えて延在している。標準の配水管５に連結されている場合、排出口４０がカラー２５を越えて延在することによって、二次配水管３０は一次配水管２０の一次排出口２４を越えて配管５へ物理的に突き出すことになる。
【００２７】
配水管３８は、液体トラップ３９を形成する一連の屈曲を有するように構成されている。このトラップ３９は、出口孔３５と二次排出口４０の間で、チューブ３８の長さに沿って設けられる。トラップ３９は、設備１０、１１０が用いられて又は水が流されるたびに、その後、配水管３８内に一定量の水を残すように機能する。この配水管３８中に捉えられた水によって、下水ガス及び臭気が二次配水管３０を通って洗面所へ入るのを防ぐことができる。
【００２８】
ここで図５を参照すると、本開示の代替的な実施形態が示されており、ここでは設備１１０の本体部１１が小便便器として形成されている。本体部１１の形状および従来の床取付の便器の代わりに、小便便器を壁に取り付けることによる変更部位以外は、本開示の部品、構成および動作は、同じ参照符号を付して上述した同じ部品と同じである。
【００２９】
設備１１０では、一次配水管１２０は、設備１１０の後縁部１１５に近接して配置されている一次排出口１２４で終端している。一次排出口１２４は、通常、トイレの壁９の後ろ側に見られる標準の汚チャネル又は配管５の開口へスライドする大きさの円筒カラー１２５を具えている。配管５は、壁に対してほぼ垂直であり、そして壁９で終端しているか、わずかに越えて突き出しているかどちらかの従来のパイプの長さであると理解される。
【００３０】
図５に示しているように、配水管３８は、本体部１１の下方に二次排出口１４０まで延在している。二次排出口１４０は、カラー１２５に形成された孔を貫通して、カラー１２５を約２分の１インチ乃至１インチ越えて延在している。標準の配水管５に連結されている場合、排出口１４０がカラー１２５を越えて延在することによって、二次配水管３０が一次配水管１２０を越えて配管５へ物理的に突き出すことになる。
【００３１】
ここで図６を参照すると、二次配水管３０の代替の実施形態が示されており、ここでは、貯留部３４は取り除かれパイプ接合管４４と置き換えられている。接合管４４は、一方の端部は各入口孔３２に、他方の端部は配水管３８に液体的に接続している。
【００３２】
動作において、一次配水管２０、１２０が塞がる又は詰まると、この流れる水及び排泄物はボウル１２の上端部へ向かって逆流し始める。二次配水管３０は、以下の方法によって、逆流した液体を下水道５へ向け直す：
【００３３】
液体が入口孔３２の高さまで逆流すると、液体はこれらの入口３２を通って流れ、貯留部３４に集まる。貯留部３４が角度付の形状であるため、液体は出口３５を通って下へオーバーフロー配水管３８の中に流れる。この液体は、配水管３８を通って流れ、塞がった一次配水管２０、１２０を越えて下水道配管５へ延在する各二次排出口４０、１４０を通って、二次配水管３０の外へと抜ける。
【００３４】
このように、現在の配管又は下水道システムを何ら変更することなく実質的に従来の設備（すなわち便器又は小便便器）の代わりに、容易に取り付けることができる二次オーバーフロー防止配水管を具える改良されたトイレ設備について記載していることが分かる。
【００３５】
上述の改良されたトイレ設備は、本開示の範囲及び意図を越えることなく様々な材料から作ることができ、様々な形状及び大きさで構成されることは関連技術の当業者にとって明らかである。
【００３６】
好適な実施形態では、設備は、磁器などのセラミック材から作られる。別の実施形態では、プラスチック又は金属などの他の硬い、耐久性の及び防水性の材料で作ることができる。
【００３７】
本開示の一の実施形態では、二次配水管３０は設備の本体部構造１１内に一体的に形成されている。例えば、配水管３０は、磁器で作られた本体部１１の鋳型に直接成型できる。
【００３８】
他の実施形態では、しかしながら、二次配水管３０は、設備の構造本体部１１から分離した構成システムにできる。すなわち、製造及び費用に関する考慮事項を簡単にするように、二次配水管３０は、ボウル１２及び本体部１１に取り外し可能に連結してもよい。この代替の好適な実施形態では、配水管３０は、金属又はプラスチックパイプなどの従来のパイプ材から部分的に形成できる。
【００３９】
また他の実施形態では、二次配水管３０の一部の構成部分を入口３２などの本体部１１に一体的に形成できる一方で、貯留部３４、オーバーフロー配水管３８及び二次排出口４０、１４０などの二次配水管の別の部分は、設備を規定するための本体部１１に連結できる。
【００４０】
さらに他の実施形態では、配水管３８及びトラップ３９を本体部１１の外部に設けてもよく、そしてここでは、配水管３８の一次端部が本体部１１を通って入口手段３２に延在して流体連通し、オーバーフロー配水管３８の反対側の端部は、本体部１１に形成された別の孔を通って、排出口４０、１４０に延在して流体連通してもよい。
【００４１】
さらに他の実施形態では、二次配水管３０は、本体部１１内に形成した開口及び通路内に配置された分離部品として提供でき、本体部１１内に二次配水管３０を隠すのに効果的である。
【００４２】
図７は、本開示の追加の実施形態の断面を示しており、ここでは給水プレナムへの内孔が設備への二次配水管を提供している。構成２００は、水タンク２５０、ボウル２１２、及び一次配水管２２０を具える設備２１０を具える。水は、タンクバルブ２５４によって水タンク２５０に保有されている。タンクバルブ２５４を開けると、水が重力に従ってタンク孔２５２を通って流れ、設備２１０の給水プレナム２６０に入る。別の実施形態では、大便器洗浄弁をタンクレストイレに使用することができ、ここではバルブの窪みが水のうねりを引き起こして、水が給水プレナム２６０に入る。多種多様のトイレのデザインは、ここに開示する構成で使用することが想定され、本開示は、ここに提供されている特定例によって限定されることを意図するものではない。給水プレナム２６０は、タンク２５０からの水の流れを受けて、設備を洗い流し、ボウルの中身を空にし、洗い流した後ボウルに補水するために、異なる目的地に導水する。給水プレナム２６０内を流れる水の一部は、ボウル２１２の縁を回避してチャネル２１３に導水される。チャネル２１３内の水は孔２１４を通ってボウル２１２へと流れる。給水プレナム２６０内の水流の一部は、ボウルの周囲を通り、ジェットチャネル２６４に流体連通しているチャネル２６２を導水されている。水は、孔２６６を通ってジェットチャネル２６４を出て、一次配水管入口２２２で一次配水管２２０に洗浄動作／上部圧力を提供する。ボウル２１２からの水と排泄物及びジェットチャネル２６４からの水は、一次配水管２２０に入って、水柱と排泄物が当技術分野で周知の設備の動作に従ってサイホンを作り出して一次配水管２２０を洗い流す。この水と排泄物は、一次配水管出口２２４を通って、設備から退出する。一次配水管出口２２４は、排泄物を別の下水管に送る構造下水管及び、次いでこの構造外に連結されている。
【００４３】
二次配水管入口２３４は、配水管プレナム２６０内に描かれている。二次配水管孔２３２によって、水が給水プレナム２６０から二次配水管入口２３４へと流れる。一の二次配水管孔２３２を設けてもよく、あるいは、複数の二次配水管孔２３２を設けてもよい。通常動作中に、一次配水管２２０内の対応する水位までボウル２１２に水が入り、これによって設備に水を満たし一次配水管２２０の屈曲部にあふれるように、一次配水管２２０とボウル２１２を構成することは、当業者には自明である。このようにして、設備の充填サイクルの間に達すべきボウル２１２の正常水位が設定される。対応水位は、給水プレナム２６０内をも満たすので、正常設計レベルまでボウルに水が入ったときに、二次配水管入口２３４を通って給水プレナム２６０から水が抜けないように二次配水管孔２３２は一次配水管２２０の屈曲部上方に配置されるべきである。
【００４４】
二次配水管入口２３４は、二次配水チャネル２３０に流体連通している。チャネルは、設備２１０内をこれと一体化して通っており、二次配水管入口２３４と二次配水管チャネル２３０を連結している。二次配水管入口２３４と二次配水管チャネル２３０を連結しているチャネルは、当技術分野で周知の配管方法による排水器を具えていてもよい。二次配水管チャネル２３０内の水は、二次配水管出口２４０を通って設備から出ていく。別の実施形態において、二次配水管チャネル２３０は、一次配水管出口２２４の真上の一次配水管２２０へと水を流すように構成してもよい。一次配水管出口２２４と二次配水管出口２４０は、当技術分野で周知の標準配管接続に接続するように構成してもよい。二次配水管を洗い流し、二次配水管をクリーニングする目的で給水プレナム２６０から二次配水管入口２３４へ導水してもよい。
【００４５】
一次配水管２２０の詰まりが水や排泄物がボウル２１２から流れ出るのを阻むと、ボウル２１２の水位が上昇する。当業者は、ボウル２１２の水位が上昇すれば、給水プレナム２６０の水位も上昇することは理解できるであろう。プレナム内の水位が二次配水管孔２３２に到達すると、水は二次配水管入口２３４に入って、二次配水管チャネル２３０へ流れて、二次配水管出口２４０から出て行く。二次配水管を流れることにより、給水プレナム２６０からの水が一次配水管２２０の詰まりを迂回させて設備の水がボウル外へのオーバーフローしないようにしている。
【００４６】
二次配水管孔２３２に加えて、二次配水管の孔あるいは、複数の孔を、位置２７０でボウル２１２と二次配水管入口２３４を分離している壁に設けることができる。二次配水管につながっているボウル２１２と二次給水プレナム２６０の両方に設けた孔によって増加水量が一次配水管２２０内の詰まりを迂回させやすくする。これによって、ボウル内の水位がボウル外へのオーバーフローが起こるレベルまで上昇する可能性が低くなる。
【００４７】
二次配水管孔２３２が二次配水管入口２３４の垂直壁に示されている。配水管孔２３２の様々な配置によって、給水プレナム２６０から二次配水管入口２３４への導水量が変化する。一の例示的実施形態において、水が給水プレナム２６０内から流れてくる方向に面している孔は、この孔を通って流れる大量の水を得やすくなる。水が流れてくる方向から離れている孔、あるいは、何らかの方法でプレナム内の水の流れから遮断されている孔は、孔を通って流れる水量が少ない。孔の位置の組み合わせは、例えば、二次配水管の洗い流しを容易する大量の水を受けるように配置された単一の孔と共に使用することができる。また、プレナム内の水の流れから遮断されている別の２つの孔を用いて詰まりのせいでボウルとプレナム内の水位が上昇し始めたときに、水を受け取ってはいるが、孔を通るプレナムからの導水量を減少させることができる。二次配水管孔の配置、方向、サイズ、及び数は、コンピューター化されたモデリングを通して実験的に決定することができる。あるいは、例示的な設備を通して十分に水の流れを予測できる方法によって決定してもよい。
【００４８】
二次配水管孔は、設備の製造工程において、例えば、陶器材料を加熱する前に、壁と一体的に形成できる。あるいは、設備の構築後のドリル工程の間に設備の壁に二次配水管孔を加えてもよい。
【００４９】
図７の実施形態は、ジェットチャネル２６４を具える。水ジェットチャネルを具えているトイレ設備もあれば、具えていないトイレ設備もある。給水プレナム内の二次配水管入口は、水が縁周囲の孔を通ってボウルに入るだけの設備内でも機能する。しかしながら、ボウル内の上昇水位からの水は、水位が縁周囲の孔の高さを超えるまでは、プレナムに入っていかない。このような例示的な構成では、縁周囲のより大きい孔及び／又はボウル内のより低い位置に配置した縁周囲の孔の一部により、水位がボウル内で高くなりすぎる前にボウルからプレナム内に水が容易に戻るようになる。
【００５０】
本開示は、好適な実施形態及びそれらの改良例を記載している。さらなる改良例及び代替例は、明細書を読んで理解すれば、誰でも思いつくであろう。従って、本開示が、本開示を実施するのに熟慮されたベストモードとして開示される特定の実施形態に限定されることを意図するものでないが、本開示が、添付の特許請求の範囲内の全ての実施形態を含む。
【図１】
2015536392.tif 000003
【図２】
2015536392.tif 000004
【図３】
2015536392.tif 000005
【図４】
2015536392.tif 000006
【図５】
2015536392.tif 000007
【図６】
2015536392.tif 000008
【図７】
2015536392.tif 000009
【国際調査報告】
2015536392.tif 000010
2015536392.tif 000011
2015536392.tif 000012
2015536392.tif 000013